(57)【要約】【課題】防火スライド板とガイドレールの間の隙間をなくし、しかも防火スライド板をスムースな上下動可能となり、火災時の防火機能を向上させるとともに、人が挟まった場合の防火スライド板の上方への退避安全動作についても信頼性を向上させる。【解決手段】門型ストッパ２４のストッパ杆２９とともに移動するガイド部材２６を設け、このガイド部材２６の内側ガイド板４１と外側ガイド板４２との間のガイド用スペース４７で、防火スライド板２５を案内し、防火スライド板２５は、防火シャッターに人が挟まれた場合でも、ガイド部材２６で案内されて滑らかに上方に移動して退避可能となる。【選択図】      図１
2004339881.tif 000002
【特許請求の範囲】
【請求項１】
互いに連節された複数のスラットの左右両側縁部を左右のガイドレールの凹溝内で移動し開閉を行う防火シャッタに設けられる安全装置であり、防火シャッタの下端部に下方に向かって伸びるように付設された防火スライド板と、上記防火シャッタの下端部に設けられ且つその左右両側に下方に伸びるストッパ杆と、該ストッパ杆に設けられたガイド部材とを備えて成る防火シャッタ用安全装置において、
上記防火スライド板は、上記防火シャッタに対して上下方向に相対的にスライド可能に上記防火シャッタの下端部に取り付けられており、
上記ストッパ杆は、上記ガイドレールの凹溝内を移動するものであり、
上記ガイド部材は、上記防火スライド板を案内し、その一端部は上記ストッパ杆とともに凹溝内を移動するものであり、
上記防火シャッタを閉鎖する際に、上記ストッパ杆が上記防火シャッタの設置面に当接することで、上記防火シャッタの下端が設置面に当接せず上記設置面との間に隙間を形成するように上記防火シャッタを停止させ、
上記防火シャッタが停止した時、上記防火シャッタの直下に人がいない場合には、上記防火スライド板は、防火シャッタの下端部と設置面との間の上記隙間を、防火のために閉鎖し、人がいる場合には、上記防火スライド板は、上記人に当接することにより、上記防火シャッタに対して相対的に上方にスライドして退避し、上記人に上記防火シャッタの荷重がかからないようにしたことを特徴とする防火シャッタ用安全装置。
【請求項２】
上記ストッパ杆と、上記防火シャッタの最下段のスラットに固定される補強板部とが一体となり又は別体で、門型ストッパを構成していることを特徴とする請求項１記載の防火シャッタ用安全装置。
【請求項３】
上記ストッパ杆は、防火シャッタの最下段のスラットの下端に固定された座板と別体又は一体に形成されていることを特徴とする請求項１記載の防火シャッタ用安全装置。
【請求項４】
上記ガイド部材の一端部は上記ストッパ杆に上下方向に移動可能に取り付けられていることを特徴とする請求項１、２又は３記載の防火シャッタ用安全装置。
【請求項５】
上記ガイド部材は、内側ガイド板と外側ガイド板とから成り、該内側ガイド板と該外側ガイド板との間には、上記スライド部材の側縁を案内する案内スペースを形成するように間隔をおいて互いに結合されており、上記内側ガイド板又は外側ガイド板は上下方向に移動可能に上記ストッパ杆に取り付けられていることを特徴とする請求項１、２又は３記載の防火シャッタ用安全装置。
【請求項６】
上記防火スライド板は、１枚の防火スライド板又は防火シャッタの横幅方向に連続して並べられ互いに可動な複数枚の防火スライド板から構成されていることを特徴とする請求項１〜５のいずれか１項に記載の防火シャッタ用安全装置。
【請求項７】
上記防火スライド板には長孔が形成されいるとともに、該長孔を遮蔽する閉鎖板が防火スライドに枢着され、該閉鎖板にはカム孔が形成されており、上記長孔及びカム孔を通して上記門型ストッパに固定された支持杆が挿通されていることを特徴とする請求項１〜６のいずれか１項に記載の防火シャッタ用安全装置。
【発明の詳細な説明】
【０００１】
【発明の属する技術分野】
本発明は、商業用ビル、学校、病院、工場、その他の建物や施設等で利用される防火シャッタに関し、特に、人が防火シャッタに挟まる事故を防止する防火シャッタ用安全装置に関する。
【０００２】
【従来の技術】
近年商業用ビル、学校等における火災への対策として、防火シャッタが普及されている。従来の防火シャッタは、解放時には上方に巻き取られてブレーキで拘束されて収納されており、火災時又は点検時に、ブレーキの拘束を解いて自重によりシャッタを降下させて閉じる構造となっている。
【０００３】
しかしながら、近年、子供が、誤作動により降下した防火シャッタの下敷きとなり、その荷重で圧死するといういたましい事故が発生しており、防火シャッタの安全性の見直しが社会的な問題となっている。安全対策として、火災時あるいは点検時を除いてやたらに防火シャッタが降下しないように設計されているが、万が一に、防火シャッタの降下時に、防火シャッタの直下に人がいる場合は、それを光学的に検知して、緊急にブレーキをかける等の手段が考えられている。
【０００４】
しかし、そのためには、光学的検知装置やブレーキを制御する制御装置等が必要であり、構成が複雑となり新規に防火シャッタを設置する場合でも、既存の防火シャッタに付設する場合でも、設備費用が高くなる。しかも、光学的、電気的な検知装置、制御装置を使用すると、誤動作等の危険性も皆無とは言えない。
【０００５】
本発明者は、上記従来の問題点を解決することを目的とし、既存又は新設の防火シャッタに、簡単な付帯工事をするだけで取り付けることのできる、構造が簡単で低コストの防火シャッタ用安全装置に係る発明をすでに提案している（例えば、特許文献１〜３参照。）。
【０００６】
本発明者によるこれらの先行発明は、防火シャッタのガイドレールに、防火シャッタが設置面との間に隙間を残して停止するストッパ杆を設けるか、あるいは、防火シャッタを隙間を残して閉鎖する寸法に形成するとともに、防火シャッタの下端に防火補助部材として防火スライド板を設け、防火シャッタが閉鎖中は防火シャッタの一部となり防火機能を発揮するが、防火シャッタの降下時に子供等が挟まれると上方にスライドして退避し、防火シャッタと設置面の間に隙間を残すようにして、事故を防止する防火シャッタ用安全装置である。
【０００７】
【特許文献１】
特許第２９４０６７１号公報
【特許文献２】
特開２０００−８７４０号公報
【特許文献３】
特開２００２−８７４８号公報
【０００８】
本発明の従来例として、上記先行発明のうち特許文献３を図１０〜１２で説明する。図１０、１１に示す従来例の防火シャッタは、複数のスラット１が上下方向に連節されて成るシャッタカーテン２を備えている。スラット１は、その両端が、図１０（ａ）に示すように、断面凹型の一対のガイドレール３の凹溝４内に摺動可能に嵌合しており、これにより上下方向に案内されて昇降する。最下段のスラット５には、その長手方向に沿って図１０（ｂ）に示すように、座板６がネジ７により固定されている。
【０００９】
火災や点検時ではない平常時においては、防火シャッタは開いており、シャッタカーテン２は、上方に配設されたシャッタボックス８内に巻き取られてブレーキにより拘束され、シャッタカーテン２が降下しないようにされている。通常の点検時においてシャッタの昇降をチェックする場合、あるいは火災が発生して、その煙を煙検知器で検知し又は熱検知器で熱を検知した場合等には、ブレーキによる拘束が解除されて、シャッタカーテン２は、その自重により降下して、防火シャッタが閉鎖される。
【００１０】
この従来例では、安全装置を設けている。この安全装置は、耐火金属板から成る防火スライド板９と、シャッタカーテン２の左右両側下面に下方に伸びるように設けられたストッパ杆１０とから構成される。ストッパ杆１０は、シャッタカーテン２の左右両側下面から一対のガイドレール３の凹溝４内を下方に伸びるように設けられている。
【００１１】
防火スライド板９は、最下段のスラットに固定された座板６の前面に配置し、長孔１３を通して支持杆１４が通され、防火スライド板９を座板６に取り付ける。これにより、防火スライド板９は、座板６及びシャッタカーテン２に対して上下方向にスライド可能である。ストッパ杆１０は、図１０（ａ）〜（ｃ）で示されるように、座板６の底面に一体又は別体で設けられ、ガイドレール３の凹溝４内を下方に伸びるように設けられている。
【００１２】
火災や点検時以外の平常時は、防火シャッタは、シャッタカーテン２が上方のシャッタボックス８内に巻き取られてブレーキで降下しないように拘束されて収納されている。今、点検又は火災が発生して、あるいは誤作動により、防火シャッタを閉鎖するための信号がブレーキ制御装置に入ると、ブレーキによる拘束を解いてシャッタカーテン２が、ガイドレール３に案内されて自重により降下する。
【００１３】
そして、最下段のスラット５の左右両端に設けられたストッパ杆１０が接地面Ｓに衝突して停止する。この状態では、図１１（ａ）に示されるようにシャッタカーテン２の最下段のスラット５は、設置面より上方にあるが、防火スライド板９が設置面に当接して、防火のための閉鎖が行われる。
【００１４】
ところで、例えば、誤作動で防火シャッタが作動した際に、誤って子供Ｐが防火シャッタの直下にいて防火シャッタに挟まれた場合は、図１１（ｂ）に示すように、シャッタカーテン２は、ストッパ杆１０が接地面Ｓに衝突して閉鎖する前の状態で停止し、防火スライド板９は、挟まれた人によりシャッタカーテン２に対して上方にスライドして退避することにより完全に閉鎖されずに隙間を残す。これにより、子供は防火シャッタが閉鎖しても、シャッタカーテン２に完全に挟まれてその荷重がかかるようなことがなく事故を回避する事ができ、きわめて安全である。
【００１５】
図１２に示す別の従来例である防火シャッタ用安全装置は、図１０、１１に示す従来例とほぼ同じ構造であるが、最下段のスラット５の下端６’に沿って水平に固定される補強板１６の左右両側端に、下方に伸びるストッパ杆１０を溶接やボルト締めにより固定してなる構成を特徴とする。
【００１６】
そして、補強板１６の外側に防火スライド板９を配設して、防火スライド板９の左右に形成された長孔１３に支持杆１４を通して、さらに支持杆１４を補強板１６及び最下段のスラット５の下端６’を通して、最下段のスラット５の裏面でネジ及びナット１２で締着する。防火スライド板９は、長孔１３及び支持杆１４により案内されて上下方向に移動可能である。
【００１７】
さらに、防火スライド板９の両側縁をガイドレール３の凹溝４内まで伸ばし、凹溝４内を上下動可能とすることで、防火シャッタ全体としての隙間をなくすことができ防火性能が向上させるものである。
【００１８】
【発明が解決しようとする課題】
図１０、１１に示す従来例は、既設の防火シャッタの座板に防火スライド及びストッパ杆を取り付けるだけで適用できるという簡単な構造で、上下動可能な防火スライドによる防火機能及び安全機能を発揮でき、その効果はきわめて大きいが、防火スライド板の両側縁とガイドレールの間に僅かな隙間が生じるという問題がある。
【００１９】
図１２に示す従来例は、防火スライド板の両側縁をガイドレールの凹溝内まで伸ばし、凹溝内を上下動することで防火スライド板の両側縁とガイドレールの間の隙間をなくすことができ、防火性能を向上させることができる。しかしながら、次の理由▲１▼〜▲３▼により、防火スライド板の両側縁がガイドレールの凹溝内でスムースに移動しにくいという問題がある。
【００２０】
▲１▼ガイドレール内にはストッパ杆も上下動可能に嵌合しており凹溝内で両者が干渉して移動しにくくなる。
▲２▼防火スライド板自体は厚みが十分厚いのものではないので側縁に歪みが生じた場合は、防火スライド板の両側縁がガイドレールの凹溝内でひっかかりスムースに移動しないことが生じる。
【００２１】
本発明は、このような従来の発明に係る防火シャッタ用安全装置の問題点を解決することを目的とする改良発明であり、その課題は、人が挟まった場合に上方に退避する防火スライド板を設けた防火シャッタ用安全装置において、防火スライドの両側縁とガイドレールの間の隙間をなくし、しかも防火スライドをスムースに上下動可能として、火災時の防火機能を改善し、かつ人が挟まった場合の防火スライドの上方への退避安全動作についても信頼性を向上することである。
【００２２】
具体的には、防火スライドの両側縁とガイドレールの間の隙間をなくし、しかも防火スライドを専用に案内するガイド部材を設けた防火シャッタ用安全装置を実現することを課題とする。そして、ガイド部材と設置面の間に物が挟まっても、それとは関係なく防火スライドは下降して、ストッパ杆で形成された設置面とシャッタの間の開口を閉鎖することができるようにすることである。
【００２３】
ところで、防火シャッタの横幅大きく（間口広く）なると、防火スライド板自体の一枚の重量が大きくなるので、それが人に衝突すると安全上の問題である。そこで、防火シャッタの横幅大きく（間口広く）なった場合は、一枚の防火スライド板でなく夫々可動な複数の防火スライド板を設けることにより、人に衝突する防火スライド板１枚の重量を小さくする。
【００２４】
さらに、防火シャッタが一枚でも二枚以上でも防火スライドは左右上下に傾いたり、傾動することがあるが、この場合、防火スライド板をスムースに上下動又は傾動する必要がある。本発明は、防火スライド板に形成する支持杆が挿通する長孔の形状を工夫するとともに、裏面に閉鎖板を設けて長孔を遮蔽することのできる防火シャッタ用安全装置を実現するものである。
【００２５】
【課題を解決するための手段】
本発明は上記課題を解決するために、互いに連節された複数のスラットの左右両側縁部を左右のガイドレールの凹溝内で移動し開閉を行う防火シャッタに設けられる安全装置であり、防火シャッタの下端部に下方に向かって伸びるように付設された防火スライド板と、上記防火シャッタの下端部に設けられ且つその左右両側に下方に伸びるストッパ杆と、該ストッパ杆に設けられたガイド部材とを備えて成る防火シャッタ用安全装置において、上記防火スライド板は、上記防火シャッタに対して上下方向に相対的にスライド可能に上記防火シャッタの下端部に取り付けられており、上記ストッパ杆は、上記ガイドレールの凹溝内を移動するものであり、上記ガイド部材は、上記防火スライド板を案内し、その一端部は上記ストッパ杆とともに凹溝内を移動するものであり、上記防火シャッタを閉鎖する際に、上記ストッパ杆が上記防火シャッタの設置面に当接することで、上記防火シャッタの下端が設置面に当接せず上記設置面との間に隙間を形成するように上記防火シャッタを停止させ、上記防火シャッタが停止した時、上記防火シャッタの直下に人がいない場合には、上記防火スライド板は、防火シャッタの下端部と設置面との間の上記隙間を、防火のために閉鎖し、人がいる場合には、上記防火スライド板は、上記人に当接することにより、上記防火シャッタに対して相対的に上方にスライドして退避し、上記人に上記防火シャッタの荷重がかからないようにしたことを特徴とする防火シャッタ用安全装置を提供する。
【００２６】
上記ストッパ杆と、上記防火シャッタの最下段のスラットに固定される補強板部とが一体となり又は別体で、門型ストッパを構成するようにしてもよい。
【００２７】
上記ストッパ杆は、防火シャッタの最下段のスラットの下端に固定された座板と別体又は一体に形成されている構成としてもよい。
【００２８】
上記ガイド部材の一端部は上記ストッパ杆に上下方向に移動可能に取り付けられている構成としてもよい。
【００２９】
上記ガイド部材は、内側ガイド板と外側ガイド板とから成り、該内側ガイド板と該外側ガイド板との間には、上記スライド部材の側縁を案内する案内スペースを形成するように間隔をおいて互いに結合されており、上記内側ガイド板又は外側ガイド板は上下方向に移動可能に上記ストッパ杆に取り付けられている構成としてもよい。
【００３０】
上記防火スライド板は、１枚の防火スライド板又は防火シャッタの横幅方向に連続して並べられ互いに可動な複数枚の防火スライド板から構成されるようにしてもよい。
【００３１】
上記防火スライド板には長孔が形成されいるとともに、該長孔を遮蔽する閉鎖板が防火スライドに枢着され、該閉鎖板にはカム孔が形成されており、上記長孔及びカム孔を通して上記門型ストッパに固定された支持杆が挿通されている構成としてもよい。
【００３２】
【発明の実施の形態】
本発明の実施の形態を実施例に基づいて図面を参照して以下説明する。
【００３３】
（実施例１）
図１〜４は、本発明に係る防火シャッタ用安全装置の実施例１を説明する図である。図１（ａ）は、本発明に係る防火シャッタ用安全装置を付設した防火シャッタが少し開いている状態を示しており、そのＡ−Ａ及びＢ−Ｂ断面を図１（ｂ）及び（ｃ）（ガイドレール３は図示は省略した。）は夫々示している。
【００３４】
この防火シャッタ２１は、複数のスラット１が上下方向に連節されて成るシャッタカーテン２を備えている。左右一対のガイドレール３は、図２（ｃ）に示すような断面が凹型の溝（以下、「凹溝」という。）４を有している。互いに連節された複数のスラット１は、その左右両側縁の部分２２が、図１（ａ）に示すように、左右のガイドレール３の凹溝４内に移動可能（摺動可能）に嵌合されており、これにより、スラット１は、上下方向に案内されて昇降可能である。
【００３５】
火災や点検時ではない平常時においては、防火シャッタ２１は開いており、シャッタカーテン２は、上方に配設されたシャッタボックス８内に巻き取られて図示しないブレーキにより拘束され、シャッタカーテン２が降下しないようにされている。通常の点検時においてシャッタカーテンの昇降動作をチェックするような場合、あるいは火災が発生して、その煙を煙検知器で検知し又は熱検知器で熱を検知した場合等には、ブレーキによる拘束が解除されて、シャッタカーテン２は、その自重により降下して、防火シャッタ２１が閉鎖される。
【００３６】
このような構成は、防火シャッタ２１の従来から知られた構造であるが、本発明は、このような防火シャッタ２１に取り付けることの可能な防火シャッタ用安全装置を特徴とする。この防火シャッタ用安全装置をさらに図１〜図４で説明を続ける。
【００３７】
この防火シャッタ用安全装置２３は、シャッタカーテン２の最下段のスラット５に固定される門型ストッパ２４と、この門型ストッパ２４に上下動可能に取り付けられる防火補助部材である防火スライド板２５と、門型ストッパ２４に上下動可能に取り付けられ、防火スライド板２５を案内するガイド部材２６とから構成される。
【００３８】
門型ストッパ２４は、図２（ａ）に示すように、最下段のスラット５と左右方向の幅が同じ補強板部２７と、この補強板部２７の左右両側縁の部分２８から下方に伸びるストッパ杆２９とから一体に構成されている。門型ストッパ２４の補強板部２７が最下段のスラット５にネジ３０で固定されて取り付けられている。補強板部の左右両側縁の部分２８及びストッパ杆２９は、左右のガイドレール３の夫々の凹溝４内に上下方向に移動（摺動）可能に嵌合されている。
【００３９】
防火スライド板２５は、一枚の長方形の耐火金属板から成り、その長手水平方向の横幅（図１（ａ）中の左右方向の横幅）は、左右一対のガイドレール３の互いの間の間隔より若干小さく形成される。要するに、防火スライド板２５の左右両側縁の部分３２は、夫々左右のガイドレール３内に嵌合されていない状態であり、左右のガイドレール３の内端との間に隙間３３が存在する。
【００４０】
一方、防火スライド板２５の上下方向の幅（縦幅）は、防火スライド板２５がボックス８内に巻き込まれて収納されることが必要であるので、なるべく小さい方が良いが、安全防止機能を考慮するとある程度の幅が必要である。即ち、後述するように、門型ストッパ２４により設置面Ｓと補強板部２７の下縁３４との間に隙間３５（隙間３５の長さは後述するが「ストッパ杆２９の高さ」に相当する。）が形成される（図２（ａ）、図４（ａ）参照。）が、この隙間３５を閉じることのできる程度の幅が必要である。
【００４１】
これにより、設置面Ｓと門型ストッパ２４の補強板部２７の下縁３４の間の隙間３５は、シャッタカーテン２が閉じると防火スライド板２５で閉じているが、シャッタカーテン２と設置面Ｓの間に人が挟まれると、防火スライド板が上方に移動して退避し、安全が確保できる。この隙間は、例えば、人（子供等）が挟まれても支障のない程度の幅（例えば３０ｃｍ）である。
【００４２】
防火スライド板２５の左右には、長孔３６が上下方向に形成されている。図１（ａ）〜（ｃ）及び図２（ｂ）、（ｃ）に示すように、防火スライド板２５を、門型ストッパ２４の前面に配置し、長孔３６を通して支持杆３７が通され、防火スライド板２５が座金３８を介して門型ストッパ２４及び最下段のスラット５に取り付けられている。支持杆１４の一端には抜け止めヘッド３９が固着されており、他端は門型ストッパ２４の補強板部２７及び最下段のスラット５とともにナット４０で螺着されている。
【００４３】
このような構造により、防火スライド板２５は、門型ストッパ２４及びシャッタカーテン２に対して上下方向にスライド可能である。防火スライド板２５の下端部における、後述する左右のガイド部材２６より内側の部分には、図１（ｃ）に示すように、断面がほぼ凹状の底部材３１が固定されている。この底部材３１の外側及び内側における折返し部４８には掌を挿入できる程度の掌挿入孔４９が形成されている。
【００４４】
火災等の際に、シャッタカーテン２が閉じて防火スライド板２５が隙間３５を閉じている際でも、この掌挿入孔４９内に人が掌を挿入し防火スライド板２５を簡単に持ち上げることができる。なお、掌挿入孔４９が貫通して形成されていても防火スライド板２５は完全に隙間３５を閉じているので、防火上は問題はない。
【００４５】
防火スライド板２５の材料は、スラット１と同じ材料を利用してもよいし、さらに上述のとおり耐火金属板等の耐火性に富んだ材料を利用してもよい。あるいは、防火スライド板２５に耐火材料を塗布したり貼り付けたりしてもよい。
【００４６】
図２（ａ）において、ストッパ杆２９の下端から補強板部２７の下縁３４までの長さ（「ストッパ杆２９の高さ」とも言う。）ｈについては、後述するように、人が防火シャッタ２１で挟まれても防火スライド板が上昇して安全な隙間３５（例．３０ｃｍ程度）が形成される程度の寸法にする必要がある。
【００４７】
即ち、シャッタカーテン２が上方から降下してくると、門型ストッパ２４の左右両端に設けられたストッパ杆２９が設置面Ｓ（ガイドレール３を設置する基礎となる面、例えば、建屋床面等。）に衝突して停止される。この時、ストッパ杆２９の高さｈに相当する設置面Ｓとから門型ストッパ２４の補強板部２７の下縁３４までの隙間３５は、防火スライド板２５が上方に移動して退避し、人が挟まれても安全な隙間となる。
【００４８】
さらに、ストッパ杆２９は、シャッタボックス８内にシャッタカーテン２が巻き上げられる際に、シャッタボックス８内につっかえない程度の長さに形成する必要がある。又、ストッパ杆２９は、シャッタカーテン２の全荷重を受けるので剛性を有する仕様（幅、肉厚、形状等）で設計する必要がある
【００４９】
なお、本実施例では、門型ストッパ２４は、補強板部２７と左右のストッパ杆２９とを一体としたものとして形成したが、別体に夫々形成し、ネジや溶接等で互いに固定する構造としてもよい。
【００５０】
或いは、上記特許文献３に示したように、最下段のスラット５に座板６を取付け、この座板６の底面にストッパ杆１０を一体又は別体で設け、ガイドレール３の凹溝４内を下方に伸びるように設ける構造としてもよい。この場合は、ストッパ杆１０は、座板６の左右両側下面に、ネジや溶接等の固定手段により固着される。
【００５１】
ガイド部材２６は、防火スライド板２５の左右両側縁の部分３２の夫々を案内するように、門型ストッパ２４のストッパ杆２９左右両端に上下動可能に取り付けられている。このガイド部材２６は、内側ガイド板４１と外側ガイド板４２とから構成される。
【００５２】
内側ガイド板４１には、図２（ｂ）に示すようにガイドレール３の凹溝４内に嵌合される一端側の部分４３おいて、その上下２箇所に上下方向の長孔４４が形成されている。この長孔４４に支持杆４５が挿通され、両端に抜け止めヘッド４６が装着されて、門型ストッパ２４に取り付けられている。これにより、内側ガイド板４１が門型ストッパ２４に対して上下方向に移動可能である。
【００５３】
外側ガイド板４２は図２（ｃ）に示すように、内側ガイド板４１と平行に配置されその外端が内側に断面クランク状に折り曲げられており、そのクランク状の折り曲げ端部４６が内側ガイド板４１に溶着又はネジ止めされて固定されている。
【００５４】
これにより、内側ガイド板４１と外側ガイド板４２の間に、防火スライド板２５の側縁の部分３２を嵌合させて移動可能に案内するガイド用スペース４７が形成される。外側ガイド板４２は、内側ガイド板４１とともに、門型ストッパ２４に対して上下方向に移動可能である、要するに、ガイド部材２６は門型ストッパ２４に対して上下方向に移動可能である。そして、ガイドレール３の内端と防火スライド板２５の両側縁の部分３２の夫々との間の隙間３３を閉じることができる。
【００５５】
図５は、実施例１の変形例であり、特に防火スライド板２５の変形例を示す図である。この変形例では、防火スライド板２５の左右の長孔５１は、図５に示すように、上端５２の幅が若干広く、その下方の幅が狭くなっている屈曲部５３を介して下方に向かって序々に防火スライド板２５の横幅方向の中央部側に向けてテーパ状に幅が広く形成されている。これにより、支持杆３７に対して防火スライド板２５が左右上下方向に若干傾いても（後述する図７等参照。）、つっかかることなく滑らかに上下方向に移動可能である構造となっている。
【００５６】
そして、この防火スライド板２５の長孔５１を裏面側から閉じて遮蔽（目隠し）する閉鎖板５４が、ピン５５で防火スライド板２５の下部に枢着されている。この閉鎖板５４には、湾曲状のカム溝５６が形成されており、このカム溝５６内に支持杆３７が摺動可能に挿入されている。そして、支持杆３７には円盤５７がクリップで抜け止めされて取り付けられており、防火スライド板２５の長孔５１とカム溝５６との重なり部分を目隠しできるように構成されている。
【００５７】
このような閉鎖板５４は、防火スライド板２５の移動や傾動に応じて、しかも防火スライド板２５の裏面に沿って、ピン５５を中心にして回転するようにスライドする。このような構成により、防火スライド板２５の長孔５１は、閉鎖板５４で閉鎖されることができる。
【００５８】
なお、この変形例では、左右の長孔５１に加えて、防火スライド板２５の横幅方向中央部寄りに長孔５８が形成されているが、この長孔５８のように中央部近くに長孔５８を形成する場合は、その上下の中間付近に、防火スライド板２５の両端方向に向かって膨らむような太幅部５９が形成される。
【００５９】
実施例１の作用：
以上のような構成より成る防火シャッタ２１の防火シャッタ用安全装置２３の作用について説明する。火災や点検時以外の平常時は、防火シャッタ２１は、シャッタカーテン２が上方のシャッタボックス８内に巻き取られて図示しないブレーキで降下しないように拘束されて収納されている。
【００６０】
今、点検又は火災が発生して、あるいは誤作動により、防火シャッタ２１を閉鎖するための信号が図示しないブレーキ制御装置に入ると、ブレーキによる拘束を解いてシャッタカーテン２の互いに連節された複数のスラット１が、ガイドレール３に案内されて自重により降下する。そして、門型ストッパ２４の左右両端に設けられたストッパ杆２９が接地面Ｓに衝突して停止する。
【００６１】
この状態では、図３（ａ）〜（ｃ）（（ｂ）、（ｃ）ではガイドレール３は図示は省略した。）に示されるようにシャッタカーテン２の最下段のスラット５は、設置面Ｓより上方にあり、設置面Ｓと門型ストッパ２４の補強板部２５の下縁３４との隙間３５を防火スライド板２５により閉鎖し防火することができる。この状態では、防火スライド板２５の底部材３１の折返し部４８の掌挿入孔４９に掌を入れて、防火スライド２５を手により持ち上げることができる。
【００６２】
今、火災や誤作動等で防火シャッタ２１が閉鎖した際に、誤って人（子供等）Ｐが防火シャッタ２１の直下にいて防火シャッタ２１に挟まれた場合は、図４（ａ）〜（ｃ）（（ｂ）、（ｃ）ではガイドレール３の図示は省略した。）に示すように、防火スライド板２５は、挟まれた人Ｐによりシャッタカーテン２に対して上方にスライドして退避し、最大限で門型ストッパ２４のストッパ杆２９の高さｈに相当する隙間３５が残される。従って、この隙間３５内に人Ｐがいる限り、シャッタカーテン２の荷重が直にかかるようなことがなく、シャッタカーテン２の荷重が人Ｐにかかる事により生じる事故を回避する事ができ、きわめて安全である。
【００６３】
特に本発明の特徴は次の点にある。即ち、本発明に係る防火シャッタ用安全装置２３では、門型ストッパ２４のストッパ杆２９とともに移動するガイド部材２６を設け、このガイド部材２６の内側ガイド板４１と外側ガイド板４２との間のガイド用スペース４７で、防火スライド板２５を案内するような構成としたので、図４（ａ）に示す状態で防火シャッターに人が挟まれた場合でも、防火スライド板２５は、ガイド部材２６で案内されて滑らかに上方に移動し退避可能となり安全動作の信頼性がきわめて大きい。
【００６４】
このように防火スライド板２５をガイド部材２６で案内するとともに、さらに内外から支えるために、熱風や強風（屋外に面して設置する場合）で吹き付けられても、防火スライド板２５がめくれたり、ぶらぶらしたり、あるいは破損したりすることがない。又、防火スライド板２５とガイドレール３の間の隙間３３はガイド部材２６で閉じられるから、火災に際してもこの隙間からシャッタカーテンを通して火炎や煙が移動したり漏れ出たりすることが防止される。
【００６５】
ガイド部材２６が門型ストッパ２４に固定され門型ストッパ２４に対して上下動できないと、ガイド部材２６と設置面Ｓとの間に人の手足等が挟まった場合はシャッタカーテン２の荷重が門型ストッパ２４及びガイド部材２６を介して人Ｐの手足にかかってしまうので安全性上、問題である。
【００６６】
そして、ガイド部材２６が門型ストッパ２４に固定され門型ストッパ２４に対して上下動できないと、ガイド部材２６と設置面Ｓとの間に何か物が挟まった場合は、ストッパ杆２９が設置面Ｓまで到達しないので、防火スライド板２５の横幅方向全縁にわたって設置面Ｓとの間に大きく隙間が形成されてしまい防火上問題である。
【００６７】
この発明に係る防火シャッタ用安全装置２３によれば、ガイド部材２６と設置面Ｓとの間に物が挟まった場合は、ガイド部材２６は門型ストッパ２４に対して上下動可能な構成としたので、ガイド部材２６のみ上方に退避することができ、ガイド部材２６に手足が挟まった場合でも安全である。又、門型ストッパ２４のストッパ杆２９は設置面Ｓに当接することができ、従って、門型ストッパ２４の下縁３４と設置面Ｓとの間の隙間３４は、防火スライド板２５で閉じることができる。
【００６８】
本発明に係る防火シャッタ用安全装置２３はきわめて簡単な構造であり、防火シャッタ２１の最下段のスラット５に門型ストッパ２４を取付、この門型ストッパ２４のストッパ杆２９にガイド部材２６を設けるという簡単な構造であるから、新設の防火シャッタ２１は当然適用可能であるが、既設の防火シャッタ２１でも簡単な作業をするだけで適用可能である。これにより、防火シャッタ２１による事故を防止でき、きわめて効果的に安全機能を発揮させることができる。
【００６９】
（実施例２）
図６、７は本発明の実施例２を説明する図である。この実施例２に係る防火シャッタ用安全装置６０は、防火シャッタの横幅が大きく（間口が広く）なった場合に安全上有効な構造である。
【００７０】
即ち、実施例１の構成の防火シャッタ用安全装置において、防火シャッタの横幅が大きくなると、防火スライド板２５の縦幅は同じでも重量は大きくなり、火災時等にシャッタカーテン２が閉じた際に、防火スライド板２５が人に当たると、その大きな重量が人にかかるので安全上問題となる。
【００７１】
そこで、実施例２に係る防火シャッタ用安全装置６０は、横幅の大きくなった防火スライド板による安全上の問題を解決するために、防火スライド板を、２枚の左右側の防火スライド板６１、６２に分けて構成し、夫々が互いに対して可動（上下動及び傾動可能な）な構成とするものである。これにより、実施例１のように防火スライド板２５を一枚板とする場合に較べて、防火スライド板６１、６２の人に対する衝突荷重を軽減するようにした。
【００７２】
図６（ａ）において、実施例２に係る防火シャッタ用安全装置６０は、防火スライド板が、長孔５１を夫々有する左側防火スライド板６１と右側防火スライド板６２とから成るが、それ以外の構成は、実施例１に係る防火シャッタ用安全装置２１とほぼ同じである。なお、長孔５１、閉鎖板５４に係る構成は実施例１の変形例と同じ構造を採用した。
【００７３】
即ち、この実施例２に係る防火シャッタ用安全装置６０も、図６（ａ）に示すように、シャッタカーテン２の最下段のスラット５に固定される門型ストッパ２４と、この門型ストッパ２４に上下動可能に取り付けられる左右側防火スライド板６１、６２を案内するガイド部材２６とを備えている。
【００７４】
左右側の防火スライド板６１、６２の互いの対向端部間には隙間６３が形成されるが、この隙間６３を遮蔽する遮蔽部材６４が隙間６３をカバーするように設けられている。この遮蔽部材６４は、図６（ｃ）、（ｄ）（図６（ａ）のＡ−Ａ、Ｂ−Ｂ断面図）に示すように、隙間を形成する二枚の垂直板６５を少なくとも有し、必要であれば、二枚の垂直板６５の上端を橋絡する細長い頂板６６を固定してもよい。
【００７５】
この遮蔽部材６４の左側の隙間には左側防火スライド板６１の右端が挿入され図示しないネジ、リベット、溶接等の適宜固着手段で固定されている。又、この遮蔽部材６４の右側の隙間には右側防火スライド板６２の左端が可動な状態で挿入されている。
【００７６】
左側防火スライド板６１についてはその右端及び右側防火スライド板６２の左端の夫々の下部に、互いに離れて両者の隙間６３が拡大する方向に、テーパ面６１’、６２’が形成されている。又、左側防火スライド板６１の左端及び右側防火スライド板６２の右端は、左右夫々の案内ガイド部材２６内に可動に装入されている。そして、左側防火スライド板６１の左端及び右側防火スライド板６２の右端の下部にも、図６（ｂ）に示すように、夫々ガイドレール３から離れる方向にテーパ面６１’、６２’が形成されている。
【００７７】
実施例２の作用：
以上の構成から成る実施例２に係る防火シャッタ用安全装置６０の作用を図７（ａ）、（ｂ）で説明する。図７（ａ）は、火災等の際に人Ｐが、
▲１▼左側防火スライド板６１の右端付近（人Ｐを実線で示す）、
▲２▼右側防火スライド板６２の左端付近（人Ｐを二点鎖線で示す）、
▲３▼両者の対向部付近（人Ｐは省略）、
のいずれかに挟まった場合の左右側防火スライド板６１、６２の動作を示している。
【００７８】
▲１▼左側防火スライド板６１の右端付近に人Ｐが挟まった場合は、左側防火スライド板６１は左端を中心に反時計針方向に回動退避する。この場合、左側防火スライド板６１のテーパ面６１’が右側防火スライド板６２のテーパ面６２’と当接して右側防火スライド板６２をその右端を中心にして時計針方向に回動させる。
【００７９】
▲２▼右側防火スライド板６２の左端付近に人Ｐが挟まった場合は、右側防火スライド板６２は右端を中心に時計針方向に回動退避する。この場合、右側防火スライド板６２のテーパ面６２’が左側防火スライド板６１のテーパ面６１’と当接して左側防火スライド板６１をその左端を中心にして反時計針方向に回動させる。
【００８０】
▲３▼左右側防火スライド板６１、６２の対向部付近に人Ｐが挟まった場合は、左右側防火スライド板６１、６２は、夫々上記▲１▼、▲２▼と同様に回動退避する。
【００８１】
図７（ｂ）は、火災等の際に人Ｐが、
▲１▼’左側防火スライド板６１の左端付近（人Ｐを実線で示す）、
▲２▼’右側防火スライド板６２の右端付近（人Ｐを二点鎖線で示す）、
のいずれかに人Ｐが挟まった場合の左右側防火スライド板６１、６２の動作を示している。
【００８２】
▲１▼’左側防火スライド板６１の左端付近に人Ｐが挟まった場合は、左側防火スライド板６１は、その右端を中心に時計針方向に回動退避する。
▲２▼’右側防火スライド板６２の左端付近に人Ｐが挟まった場合は、右側防火スライド板６２は、その左端を中心に反時計針方向に回動退避する。
【００８３】
このように、実施例２に係る防火シャッタ用安全装置６０は、防火スライド板を、左右側の２枚の防火スライド板６１、６２で構成し、夫々が上下動かつ傾動可能な構成としたので、実施例１のように防火スライド板を一枚板とする場合に較べて、防火スライド板の人Ｐに対する衝突荷重を軽減することができる。
【００８４】
なお、図７では、左右側防火スライド板６１、６２が傾動する場合について説明したが、左側防火スライド板６１は、それのみで直線的に上下動できることは言うまでもない。頂板６６を設けなければ、左側防火スライド板６１だけでなく、右側防火スライド板６２も、直線的に上下動できることは言うまでもない（後述する実施例３の図９の直線的に上下動する図を参照）。
【００８５】
（実施例３）
図８、９は、本発明の実施例３を説明する図である。この実施例３に係る防火シャッタ用安全装置６７は、実施例２の防火シャッタよりさらに横幅の大きく（間口が広く）なった場合に安全上有効な構造である。
【００８６】
即ち、実施例２の構成の防火シャッタ用安全装置６０において、防火シャッタの横幅がさらに大きくなると、左右側の防火スライド板６１、６２は、夫々がさらに重量は大きくなり、火災時等にシャッタカーテン２が閉じた際に、防火スライド板２５が人Ｐに当たると、その大きな重量が人Ｐにかかるので安全上問題である。
【００８７】
そこで、実施例３に係る防火シャッタ用安全装置６７は、横幅の大きくなった防火スライド板による安全上の問題を解決するために、防火スライド板を、３枚の防火スライド板で構成し、夫々が可動な構成とするものである。これにより、防火スライド板を２枚板とする場合に較べて、防火スライド板の人Ｐに対する重量を軽減するようにした。
【００８８】
図８（ａ）において、実施例３に係る防火シャッタ用安全装置６７は、防火スライド板が、左側防火スライド板６８、中央防火スライド６９及び右側防火スライド板７０とから成るが、それ以外の構成は、実施例１、２に係る防火シャッタ用安全装置６０とほぼ同じである。なお、長孔５１、閉鎖板５４に係る構成は実施例１の変形例と同じ構造を採用した。
【００８９】
即ち、この実施例３に係る防火シャッタ用安全装置６７も、図示はしないが、実施例２の図６（ａ）に示すように、シャッタカーテン２の最下段のスラット５に固定される門型ストッパ２４と、この門型ストッパ２４に上下動可能に取り付けられる防火補助部材である防火スライド板と、門型ストッパ２４に上下動可能に取り付けられ、防火スライド板２５を案内するガイド部材２６とを備えている。
【００９０】
左側防火スライド板６８、中央防火スライド板６９及び右側防火スライド板７０の互いに対向する対向端部間には隙間が形成されるが、これらの隙間を遮蔽す実施例２と同様の遮蔽部材７１が、これら対向部に設けられている。この遮蔽部材７１は左側防火スライド板６８の右端及び中央防火スライド板６９の右端に夫々固定されている。これらの遮蔽部材７１の隙間内に、中央防火スライド板６９の左端及び右側防火スライド板７０の左端が夫々挿入されている。
【００９１】
左側防火スライド板６８、中央防火スライド板６９及び右側防火スライド板７０板は、夫々その両端の下部に実施例２と同様にテーパ面が形成されている。そして、左側防火スライド板６８、中央防火スライド板６９及び右側防火スライド板７０は、実施例２と同様に、夫々防火スライド板の長孔５１が形成されており、支持杆が挿通されている。そして、夫々の防火スライド板６８〜６９の夫々の裏面には遮蔽用に、カム溝５６を有する閉鎖板５４が形成され、これに支持杆が挿通されている。
【００９２】
なお、防火スライド板は、実施例２では２枚、実施例３では３枚から成る構成としたが、このような枚数に限定されることなくさらに多くの数を設けてもよい。又、複数の防火スライド板の横幅は画一的でなくても長短ばらつきがあってもよい。
【００９３】
実施例３の作用：
以上の構成から成る実施例３に係る防火シャッタ用安全装置６７の作用を図８（ａ）、図９（ａ）、（ｂ）に示す。実施例３の作用は、基本的には実施例２と同様である。図８（ｂ）には、防火スライド板に人Ｐが挟まった場合の夫々の防火スライド板の退避動作が示されている。この動作は実施例２と基本的には同じである。
【００９４】
又、図９（ａ）には、左側防火スライド板６８が反時計針方向に回動退避する動作と、右側防火スライド板７０が上方に直線的に移動する動作が夫々示されている。又、図９（ｂ）には、中央スライド板６９が上方に直線的に移動する動作が示されている。
【００９５】
以上、本発明に係る防火シャッタ用安全装置の実施の形態を実施例に基づいて説明したが、上記実施例に限定されることなく、本発明の技術思想の範囲内であるならば、さらにその他の実施例も含むものである。
【００９６】
【発明の効果】
本発明の防火シャッタ用安全装置は以上の構成であるから次のような効果が生じる。
（１）防火シャッタが閉鎖中は防火シャッタとともに防火機能を発揮するが、点検、火災又は誤作動による防火シャッタの降下時に人（子供等）が挟まれると、上方にスライドして退避し、防火シャッタと設置面の間に隙間を残すようにしたので、きわめて簡単な構造により、人が挟まれるという事故を防止することができ、既設又は新設を問わず、防火シャッタに、簡単な付帯工事をするだけで、低コストで取り付けることができる。
【００９７】
（２）人が挟まった場合に上方に退避する防火スライド板を設けた防火シャッタ用安全装置において、ストッパ杆に取り付けたガイド部材を設けたので、防火スライド板の両側縁とガイドレールの間の隙間をなくし、しかも防火スライド板をスムースな上下動が可能となり、火災時の防火機能を向上させることがで、かつ人が挟まった場合の防火スライド板の上方への退避安全動作についても信頼性が向上する。
【００９８】
（３）防火スライド板は、その両側縁がガイド部材で案内され両面から支持されるので、熱風、強風、その他外力等に対して防火シャッタがしっかりと支持され、防火性能が向上するだけでなく、破損等が生じることが防止される。
【００９９】
（４）  ガイド部材と設置面の間に物が挟まっても、それとは関係なくストッパ杆は設置面に当接し、防火スライド板は下降できるから、門型ストッパの下縁と設置面の間の隙間を防火スライド板で閉鎖することができる。
【０１００】
（５）本発明の防火シャッタ用安全装置は簡単な構造であるから、既設又は新設を問わず、防火シャッタに、簡単な付帯工事をするだけで、低コストで取り付けることのできる。
【０１０１】
（６）防火シャッタの横幅大きく（間口広く）なった場合は、一枚の防火スライド板でなく夫々可動な複数の防火スライド板を設けることにより、人に衝突する防火スライド板１枚の重量を小さくすることができるから、防火スライド板が人に衝突しても安全性を確保できる。
【０１０２】
（７）防火スライド板に形成する支持杆が挿通する長孔の形状を工夫するとともに、裏面に閉鎖板を設けて長孔を遮蔽する構造としたので、防火シャッタが一枚でも二枚以上でも防火スライドは左右上下に傾いたり、傾動しても防火スライド板をスムースに上下動及び傾動することができる。
【図面の簡単な説明】
【図１】本発明に係る発明の防火シャッタ用安全装置の実施例１の構造を説明する図であり、（ａ）は全体構成の正面図であり、（ｂ）は（ａ）のＡ−Ａ断面図であり、（ｃ）は（ａ）のＢ−Ｂ断面図である。
【図２】本発明に係る発明の防火シャッタ用安全装置の実施例１の要部を説明する図であり、（ａ）は門型ストッパを示す図であり、（ｂ）は図１（ａ）の一部拡大図であり、（ｃ）は（ｂ）のＡ−Ａ断面図である。
【図３】本発明に係る発明の防火シャッタ用安全装置の実施例１の作用を説明する図であり、（ａ）は防火シャッタが通常に閉じた状態を示し、（ｂ）は（ａ）のＡ−Ａ断面図であり、（ｃ）は（ａ）のＢ−Ｂ断面図である。
【図４】本発明に係る発明の防火シャッタ用安全装置の実施例１の作用を説明する図であり、（ａ）は防火シャッタに人が挟まり、防火スライド板が上方に退避した状態を示し、（ｂ）は（ａ）のＡ−Ａ断面図であり、（ｃ）は（ａ）のＢ−Ｂ断面図である。
【図５】本発明に係る発明の防火シャッタ用安全装置の実施例１の変形例を説明する図である。
【図６】本発明に係る発明の防火シャッタ用安全装置の実施例２の構造を説明する図であり、（ａ）は全体構成の正面図であり、（ｂ）は要部を示す図であり、（ｃ）、（ｄ）は（ａ）のＡ−Ａ、Ｂ−Ｂ断面図である。
【図７】（ａ）、（ｂ）とも本発明の防火シャッタ用安全装置の実施例２の作用を説明する図である。
【図８】（ａ）は本発明に係る発明の防火シャッタ用安全装置の実施例３を説明する図であり、（ｂ）はその作用を説明する図である。
【図９】（ａ）、（ｂ）とも本発明に係る防火シャッタ用安全装置の実施例３の作用を説明する図である。
【図１０】従来例に係る防火用シャッタ安全装置を説明する図である。
【図１１】図５の従来例に係る防火用シャッタ安全装置の作用を説明する図である。
【図１２】別の従来例に係る防火用シャッタ安全装置を説明する図である。
【符号の説明】
１  スラット
２  シャッタカーテン
３  ガイドレール
４  凹溝
５  最下段のスラット
６  座板
７  ネジ
８  シャッタボックス
９  防火スライド板（防火補助部材）
１０  ストッパ杆
１１  防火スライド板の底部
１２  ナット
１３  長孔
１４  支持杆
１６  補強板
２１  防火シャッタ
２２  スラットの左右両側縁の部分
２３  防火シャッタ用安全装置
２４  門型ストッパ
２５  防火スライド板
２６  ガイド部材
２７  門型ストッパの補強板部
２８  補強板部の左右両側縁の部分
２９  ストッパ杆
３０  ネジ
３１  防火スライド板の底部材
３２  防火スライド板の左右両側縁の部分
３３  防火スライド板とガイドレールとの隙間
３４  補強板部の下縁
３５  設置面と補強板部の下縁との隙間
３６  防火スライド板の長孔
３７  支持杆
３８  座金
３９  抜け止めヘッド
４０  ナット
４１  内側ガイド板
４２  外側ガイド板
４３  ガイドレール凹溝内に嵌合される内側ガイド板の一端側の部分
４４  内側ガイド板の長孔
４５  支持杆
４６  内側ガイド板のクランク状の折り曲げ端部
４７  ガイド用スペース
４８  防火スライド板の底部材の折返し部
４９  掌挿入孔
５１  防火スライド板の長孔
５２  長孔の上端
５３  長孔の屈曲部
５４  閉鎖板
５５  ピン
５６  カム溝
５７  円盤
５８  防火スライド板の長孔
５９  長孔の太幅部
６０  防火シャッタ用安全装置
６１  左側防火スライド板
６２  右側防火スライド板
６３  左右側防火スライド板の間の隙間
６４  遮蔽部材
６５  遮蔽部材の垂直板
６６  頂板
６７  防火シャッタ用安全装置
６８  左側防火スライド板
６９  中央防火スライド板
７０  右側防火スライド板
７１  遮蔽部材
Ｐ    人
Ｓ    防火シャッタの設置面
ｄ    防火スライド板の底部と設置面との隙間の寸法
【図１】
2004339881.tif 000003
【図２】
2004339881.tif 000004
【図３】
2004339881.tif 000005
【図４】
2004339881.tif 000006
【図５】
2004339881.tif 000007
【図６】
2004339881.tif 000008
【図７】
2004339881.tif 000009
【図８】
2004339881.tif 000010
【図９】
2004339881.tif 000011
【図１０】
2004339881.tif 000012
【図１１】
2004339881.tif 000013
【図１２】
2004339881.tif 000014